(57)【要約】    ブラックリストに基づいて、クレジットカードや電子マネーを格納したＩＣカード等の有効／無効を適切に判断する。    端末装置はリスト記憶手段と無効記録手段とを備える。リスト記憶手段は、識別子、有効または無効を示す有効性情報、および、設定値を格納する記録媒体の無効回数特定値と識別子とを対応付けたブラックリストを格納する。無効記録手段は、記録媒体から読み出された識別子に対応する無効回数特定値をブラックリストから読み出し、記録媒体から読み出された設定値と比較し、設定値と無効回数特定値が等しい場合には、記録媒体の有効性情報に基づき所定処理を実行する。
2015001741.tif 000002
【特許請求の範囲】
【請求項１】
識別子、有効または無効を示す有効性情報、および、設定値を格納する記録媒体の無効回数特定値と前記識別子とを対応付けたブラックリストを格納するリスト記憶手段と、
前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する無効記録手段と、を備える端末装置。
【請求項２】
前記無効記録手段は、前記設定値と前記無効回数特定値が等しくない場合には、前記記録媒体に格納された前記設定値を前記無効回数特定値で更新し、前記有効性情報を無効とする記録処理を実行する請求項１に記載の端末装置。
【請求項３】
前記無効記録手段は、
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録処理を実行し、そうでなければ前記記録処理を実行しない、請求項２に記載の端末装置。
【請求項４】
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と、当該識別子に対応付けられた前記無効回数特定値を前記ブラックリストの原本から削除し、前記ブラックリストの原本を配信するサーバ装置に接続され、
前記サーバ装置から配信された前記ブラックリストを受信して、前記リスト記憶手段に格納する受信手段を、更に備える、請求項１乃至３の何れかに記載の端末装置。
【請求項５】
前記無効記録手段は、前記記録媒体から読みとられた前記有効性情報に基づき、有効であれば前記所定処理を実行し、無効であれば実行しない、請求項１乃至４の何れかに記載の端末装置。
【請求項６】
前記サーバ装置と、請求項４または５の端末装置と、を包含する有効性制御システム。
【請求項７】
記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置から読み出される前記識別子を格納するＩＤ記憶手段と、前記有効性情報を格納する有効性情報記憶手段と、前記設定値を格納する設定値記憶手段と、を備える記録媒体。
【請求項８】
記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置に接続され、
無効にされた前記記録媒体の前記識別子対応に前記無効回数特定値を格納する無効回数記憶手段と、
前記ブラックリストの原本を格納するリストマスタ記憶手段と、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する追加手段と、
有効に戻された前記記録媒体の前記識別子を入力されて、入力された前記識別子対応の前記無効回数特定値を、前記ブラックリストの原本から削除する削除手段と、
前記ブラックリストの原本を前記端末装置に配信するリスト配信手段と、を備えるサーバ装置。
【請求項９】
前記設定値と前記無効回数特定値が等しくない場合には、前記記録媒体に格納された前記設定値を前記無効回数特定値で更新し、前記有効性情報を無効とする記録処理を実行し、前記記録処理における前記識別子と更新された前記設定値を包含するログを送信する前記端末装置に接続され、
前記ログを受信して前記無効回数記憶手段に蓄積するログ収集手段を、更に備え、
前記追加手段は、無効にされた前記記録媒体の前記識別子を入力されて、入力された前記識別子対応に前記無効回数記憶手段に格納されている前記設定値のうち最大のものを進めて、進められた値を、入力された前記識別子に対応する前記無効回数特定値として、前記ブラックリストの原本に追加する、請求項８に記載のサーバ装置。
【請求項１０】
前記無効回数記憶手段は、無効の対象となり得る前記記録媒体の前記識別子と前記無効回数特定値を対応付けて格納し、
前記追加手段は、無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する、請求項８に記載のサーバ装置。
【請求項１１】
識別子、有効または無効を示す有効性情報、および、設定値を格納する記録媒体の無効回数特定値と前記識別子とを対応付けたブラックリストを記憶し、
前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する、方法。
【請求項１２】
前記設定値と前記無効回数特定値が等しくない場合には、前記記録媒体に格納された前記設定値を前記無効回数特定値で更新し、前記有効性情報を無効とする記録処理を実行する請求項１１に記載の方法。
【請求項１３】
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録処理を実行し、そうでなければ前記記録処理を実行しない、請求項１２に記載の方法。
【請求項１４】
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と、当該識別子に対応付けられた前記無効回数特定値を前記ブラックリストの原本から削除し、前記ブラックリストの原本を配信するサーバ装置から配信された前記ブラックリストを受信して、前記リスト記憶手段に記憶する、請求項１１乃至１３の何れかに記載の方法。
【請求項１５】
前記記録媒体から読みとられた前記有効性情報に基づき、有効であれば前記所定処理を実行し、無効であれば実行しない、請求項１１乃至１４の何れかに記載の方法。
【請求項１６】
記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置と接続し、
無効にされた前記記録媒体の前記識別子対応に前記無効回数特定値を無効回数記憶手段に記憶し、
前記ブラックリストの原本を記憶し、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加し、
有効に戻された前記記録媒体の前記識別子を入力されて、入力された前記識別子対応の前記無効回数特定値を、前記ブラックリストの原本から削除し、
前記ブラックリストの原本を前記端末装置に配信する、方法。
【請求項１７】
前記設定値と前記無効回数特定値が等しくない場合には、前記記録媒体に格納された前記設定値を前記無効回数特定値で更新し、前記有効性情報を無効とする記録処理を実行し、前記記録処理における前記識別子と更新された前記設定値を包含するログを送信する前記端末装置に接続し、
前記ログを受信して前記無効回数記憶手段に蓄積し、
無効にされた前記記録媒体の前記識別子を入力されて、入力された前記識別子対応に前記無効回数記憶手段に格納されている前記設定値のうち最大のものを進めて、進められた値を、入力された前記識別子に対応する前記無効回数特定値として、前記ブラックリストの原本に追加する、請求項１６に記載の方法。
【請求項１８】
無効の対象となり得る前記記録媒体の前記識別子と前記無効回数特定値を対応付けて前記無効回数記憶手段に記憶し、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する、請求項１６に記載の方法。
【請求項１９】
識別子、有効または無効を示す有効性情報、および、設定値を格納する記録媒体の無効回数特定値と前記識別子とを対応付けたブラックリストを格納するリスト記憶処理と、
前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する無効記録処理と、をコンピュータに実行させるプログラム。
【請求項２０】
前記設定値と前記無効回数特定値が等しくない場合には、前記記録媒体に格納された前記設定値を前記無効回数特定値で更新し、前記有効性情報を無効とする記録処理を含む前記無効記録処理をコンピュータに実行させる請求項１９に記載のプログラム。
【請求項２１】
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録処理を含み、そうでなければ前記記録処理を含まない前記無効記録処理を、コンピュータに実行させる請求項２０に記載のプログラム。
【請求項２２】
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と、当該識別子に対応付けられた前記無効回数特定値を前記ブラックリストの原本から削除し、前記ブラックリストの原本を配信するサーバ装置に接続されたコンピュータに、
前記サーバ装置から配信された前記ブラックリストを受信して、前記リスト記憶手段に格納する受信処理を、更に実行させる、請求項１９乃至２１の何れかに記載のプログラム。
【請求項２３】
前記記録媒体から読みとられた前記有効性情報に基づき、有効であれば前記所定処理を実行し、無効であれば実行しない前記無効記録処理を、コンピュータに実行させる、請求項１９乃至２２の何れかに記載のプログラム。
【請求項２４】
記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置に接続されたコンピュータに、
無効にされた前記記録媒体の前記識別子対応に前記無効回数特定値を無効回数記憶手段に格納する処理と、
前記ブラックリストの原本を記憶するリストマスタ記憶処理と、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する追加処理と、
有効に戻された前記記録媒体の前記識別子を入力されて、入力された前記識別子対応の前記無効回数特定値を、前記ブラックリストの原本から削除する削除処理と、
前記ブラックリストの原本を前記端末装置に配信するリスト配信処理と、を実行させるプログラム。
【請求項２５】
前記設定値と前記無効回数特定値が等しくない場合には、前記記録媒体に格納された前記設定値を前記無効回数特定値で更新し、前記有効性情報を無効とする記録処理を実行し、前記記録処理における前記識別子と更新された前記設定値を包含するログを送信する前記端末装置に接続されたコンピュータに、
前記ログを受信して前記無効回数記憶手段に蓄積するログ収集処理と、
無効にされた前記記録媒体の前記識別子を入力されて、入力された前記識別子対応に前記無効回数記憶手段に格納されている前記設定値のうち最大のものを進めて、進められた値を、入力された前記識別子に対応する前記無効回数特定値として、前記ブラックリストの原本に追加する前記追加処理を実行させる、請求項２４に記載のプログラム。
【請求項２６】
コンピュータに、
前記無効回数記憶手段は、無効の対象となり得る前記記録媒体の前記識別子と前記無効回数特定値を対応付けて格納する処理と、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する、前記追加処理を実行させる、請求項２４に記載のプログラム。
【発明の詳細な説明】
【技術分野】
【０００１】
本発明は、有効性制御システム、端末装置、サーバ装置、記録媒体、方法、および、プログラム、特に、ブラックリストを用いて、クレジットカード等の有効、無効を制御する、システム、端末装置、サーバ装置、記録媒体、方法、および、プログラムに関する。
【背景技術】
【０００２】
特許文献１は、商品やサービスの購入に、不正に使用されたクレジットカードに使用停止の処理を実行するシステムを開示する。ここで、使用停止の処理は、カードに書き込まれている情報の一部を破壊する、カードに間違った情報を書き込む、カードに使用できないこと（無効）を示すフラグをたてる処理である。【０００３】
先ず、このシステムのホストコンピュータは、クレジット会社会員のクレジットカードのブラックリストを含む情報をカード情報として出力する。ブラックリストは、無効なカードの一覧である。加盟店の端末コンピュータは、当該情報を受信して記憶し、カードリーダに入力されたクレジットカードがブラックリストに記載されていればカード利用停止の処理を実行する。【０００４】
このシステムに於いて、ホストコンピュータは、全てのカード会員の情報を定期的または不定期に送信する。加盟店が、基礎的なカード情報を保有している場合、クレジットカードが有効から無効に、無効から有効に転じたときの情報のみを送信し、加盟店で基礎的な情報の更新を行う。
【先行技術文献】
【特許文献】
【０００５】
【特許文献１】特開平１１−１４３９４９号公報
【発明の概要】
【発明が解決しようとする課題】
【０００６】
クレジットカードの利用に於いて、あるクレジットカードＡが一旦無効となった後、再度有効になることがある。このようなことは、例えば、クレジットカードの決済口座が一時的に残高不足になり、支払いが遅延した場合に発生する。このような場合、特許文献１に記載されたようなシステムの加盟店の端末コンピュータは、カードＡが再度有効になったあと、古いブラックリストに基づいて、カードＡを無効と判断し、例えば、所定の支払い処理を拒絶し、使用停止の処理を実行し得る。【０００７】
上述のケースで、ホストコンピュータは、カードＡが無効になった時点で、カードＡが登録されたブラックリストを各加盟店の端末コンピュータに配信する。その後、カードＡが再度有効になった時点で、ホストコンピュータは、カードＡが登録されていない新たなブラックリストを各加盟店の端末コンピュータに配信する。【０００８】
この場合、新たなブラックリストの配信後も、一時的に、古いブラックリストを用い続ける端末コンピュータが混在し得る。例えば、端末コンピュータが配信されたブラックリストをカード使用停止の処理に用いるためにはブートし直す必要があるところ、或る端末コンピュータが連続運転をしている場合に、このことが発生する。【０００９】
この状況で、利用者が、カードＡを、連続運転しているその端末コンピュータを備える加盟店で使用しようとすると、当該端末コンピュータは、古いブラックリストに基づいて、カードＡを無効と判断し、例えば、所定の支払い処理を拒絶し、使用停止の処理を実行する。【００１０】
類似の状況は、電子マネーを格納したＩＣ（Integrated Circuit）カード等についても発生する。本発明は、上記課題を解決するための技術を提供することを目的とする。
【課題を解決するための手段】
【００１１】
本発明の一実施形態にかかる端末装置は、識別子、有効または無効を示す有効性情報、および、設定値を格納する記録媒体の無効回数特定値と前記識別子とを対応付けたブラックリストを格納するリスト記憶手段と、前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する無効記録手段と、を備える。【００１２】
本発明の一実施形態にかかる記録媒体は、記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置から読み出される前記識別子を格納するＩＤ記憶手段と、前記有効性情報を格納する有効性情報記憶手段と、設定値を格納する設定値記憶手段と、を備える。【００１３】
本発明の一実施形態にかかるサーバ装置は、記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置に接続され、無効にされた前記記録媒体の前記識別子対応に前記無効回数特定値を格納する無効回数記憶手段と、前記ブラックリストの原本を格納するリストマスタ記憶手段と、無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する追加手段と、有効に戻された前記記録媒体の前記識別子を入力されて、入力された前記識別子対応の前記無効回数特定値を、前記ブラックリストの原本から削除する削除手段と、前記ブラックリストの原本を前記端末装置に配信するリスト配信手段と、を備える。【００１４】
本発明の一実施形態にかかる方法は、識別子、有効または無効を示す有効性情報、および、設定値を格納する記録媒体の無効回数特定値と前記識別子とを対応付けたブラックリストを記憶し、前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する。【００１５】
本発明の一実施形態にかかる方法は、記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置と接続し、無効にされた前記記録媒体の前記識別子対応に前記無効回数特定値を無効回数記憶手段に記憶し、前記ブラックリストの原本を記憶し、無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加し、有効に戻された前記記録媒体の前記識別子を入力されて、入力された前記識別子対応の前記無効回数特定値を、前記ブラックリストの原本から削除し、前記ブラックリストの原本を前記端末装置に配信する。【００１６】
本発明の一実施形態にかかるプログラムは、識別子、有効または無効を示す有効性情報、および、設定値を格納する記録媒体の無効回数特定値と前記識別子とを対応付けたブラックリストを格納するリスト記憶処理と、前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する無効記録処理と、をコンピュータに実行させる。【００１７】
本発明の一実施形態にかかるプログラムは、記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置に接続されたコンピュータに、無効にされた前記記録媒体の前記識別子対応に前記無効回数特定値を無効回数記憶手段に格納する処理と、前記ブラックリストの原本を記憶するリストマスタ記憶処理と、無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する追加処理と、有効に戻された前記記録媒体の前記識別子を入力されて、入力された前記識別子対応の前記無効回数特定値を、前記ブラックリストの原本から削除する削除処理と、前記ブラックリストの原本を前記端末装置に配信するリスト配信処理と、を実行させる。
【発明の効果】
【００１８】
本発明に係るシステムは、ブラックリストに基づいて、クレジットカードや電子マネーを格納したＩＣカード等の有効／無効を適切に判断できる。このシステムは、一旦無効化して、再度有効にしたクレジットカード等に対しても有効／無効を適切に判断できる。
【図面の簡単な説明】
【００１９】
【図１】図１は、第１の実施の形態にかかる有効性制御システム４の構成図である。
【図２】図２は、端末装置１のリスト記憶部１２、および、サーバ装置２のリストマスタ記憶部２２に格納されるブラックリスト６１の構成を示す。
【図３】図３は、サーバ装置２のログ記憶部２１に格納されるログの蓄積データを示す。
【図４】図４は、端末装置１の無効記録部１１の動作フローチャートである。
【図５】図５は、端末装置１の処理部１３の動作フローチャートである。
【図６】図６は、サーバ装置２の追加部２３の動作フローチャートである。
【図７】図７は、サーバ装置２の削除部２４の動作フローチャートである。
【図８】図８は、第２の実施の形態にかかる有効性制御システム４の構成図である。
【図９】図９は、サーバ装置２のカードマスタ記憶部２８に格納されるデータの構成を示す。
【図１０】図１０は、第２の実施の形態にかかるサーバ装置２の追加部２３の動作フローチャートである。
【図１１】図１１は、第３の実施形態にかかる端末装置１の構成図である。
【図１２】図１２は、第４の実施形態にかかるサーバ装置２の構成図である。
【図１３】図１３は、第５の実施形態にかかるＩＣカード３の構成図である。
【発明を実施するための形態】
【００２０】
＜第１の実施の形態＞
図１は、本実施の形態にかかる有効性制御システム４の構成図である。有効性制御システム４は、ネットワーク４１を介して接続された、端末装置１、および、サーバ装置２を包含する。端末装置１は、通常複数台存在する。端末装置１は、例えば、販売店の支払いカウンタに設置されている。サーバ装置２は、例えば、銀行またはクレジットカード会社に設置されている。
【００２１】
端末装置１は、無効記録部１１、リスト記憶部１２、処理部１３、および、受信部１４を包含する。無効記録部１１、および、処理部１３には、リーダ／ライタ１５が接続されている。
【００２２】
リーダ／ライタ１５は、ＩＣカード３に記憶されているデータの読み書きを行う。ＩＣカード３は、例えば、電子マネーを記憶する携帯型の記録媒体である。または、ＩＣカード３は、クレジットカードでも良い。ＩＣカード３の所持者は、販売店に於いて、商品やサービスの購入代金をＩＣカード３で支払う。
【００２３】
ＩＣカード３は、カードＩＤまたはユーザＩＤ（IDentification、以降、単にＩＤと呼ぶ）を格納するＩＤ記憶部３１、ＩＣカード３が有効または無効であることを示す有効性情報を格納する有効性情報記憶部３２、および、ＩＣカード３が無効にされた回数を格納するカウンタ３３を備える。有効性情報記憶部３２の初期値は、“有効”、カウンタ３３の初期値は０である。ＩＣカード３は、更に、格納する電子マネーの残高やクレジットカードの信用残高を格納する残高記憶部３４を備えていても良い。
【００２４】
ＩＣカード３の所持者は、有効性情報記憶部３２に格納される有効性情報が有効であることを示す場合に限って、ＩＣカード３で支払いをすることが出来る。所持者は、例えば、残高記憶部３４に記憶される金額の支払いが出来る。
【００２５】
ここで、ＩＣカード３は、例えば、正当な所持者がＩＣカード３を紛失し、銀行やクレジットカード会社に当該ＩＣカード３の使用の停止を申請すると、無効な状態になる。ＩＣカード３は、例えば、正当な所持者がＩＣカード３を家庭内で発見して、使用の停止解除を申請すると、有効な状態に戻る。また、ＩＣカード３がクレジットカードの場合、例えば、銀行口座から請求金額を引き落とせないと無効になり、その後、銀行口座にお金が入って引き落としが出来ると有効な状態に戻る。
【００２６】
端末装置１のリスト記憶部１２は、無効になったＩＣカード３のＩＤ等を示すブラックリスト６１を格納する。無効記録部１１は、ＩＣカード３から読み出したＩＤが、リスト記憶部１２に格納されているブラックリスト６１に登録されていると、そのＩＣカード３の有効性情報記憶部３２に無効を記録する。このとき、無効記録部１１は、ログを作成して、サーバ装置２に送信する。処理部１３は、ＩＣカード３から読み出した有効性情報が有効を示していれば、所定処理、例えば、支払い処理を行う。
【００２７】
受信部１４は、例えば、サーバ装置２から、ブラックリスト６１を受信して、リスト記憶部１２に格納する。サーバ装置２は、ブラックリスト６１の原本を、作成、更新し、それを、ネットワーク４１を介して、端末装置１に配信する。端末装置１の受信部１４は、それを受信して、リスト記憶部１２に格納することで、ブラックリスト６１の写しを記憶する。ブラックリスト６１の配布は、通信によらず、可換媒体の郵送等で行っても良い。
【００２８】
ここで、無効記録部１１、処理部１３、および、受信部１４は、論理回路等で構成される。それらは、端末装置１のメモリ（図示されず）に格納されて、端末装置１のプロセッサ（図示されず）により実行されるソフトウェアにより実現されても良い。リスト記憶部１２は、ＩＣメモリ、ディスク装置等の記憶装置である。
【００２９】
サーバ装置２は、ログ記憶部２１、リストマスタ記憶部２２、追加部２３、削除部２４、配信部２５、および、ログ収集部２６を備える。追加部２３、および、削除部２４には、キーボード２７が接続されている。
【００３０】
追加部２３は、無効にされるＩＣカード３のＩＤをキーボード２７から取得すると、このＩＤ等をブラックリスト６１の原本に追加する。削除部２４は、有効にされるＩＣカード３のＩＤをキーボード２７から取得すると、このＩＤ等をブラックリスト６１の原本から削除する。
【００３１】
リストマスタ記憶部２２は、ブラックリスト６１の原本を格納する。配信部２５は、リストマスタ記憶部２２に格納されているブラックリスト６１の写しを、端末装置１に配信する。
【００３２】
ログ収集部２６は、端末装置１の無効記録部１１から前述のログを受信して、例えば、時系列に、ログ記憶部２１に格納する。ログ記憶部２１は、追加部２３により参照される。
【００３３】
ここで、追加部２３、削除部２４、配信部２５、および、ログ収集部２６は、論理回路等で構成される。それらは、サーバ装置２のメモリ（図示されず）に格納されて、サーバ装置２のプロセッサ（図示されず）により実行されるソフトウェアにより実現されても良い。ログ記憶部２１、および、リストマスタ記憶部２２は、ＩＣメモリ、ディスク装置等の記憶装置である。
【００３４】
図２は、端末装置１のリスト記憶部１２、および、サーバ装置２のリストマスタ記憶部２２に格納されるブラックリスト６１の構成を示す。ブラックリスト６１は、無効にされたＩＣカード３のＩＤである無効ＩＤ６２とその無効にされた回数である無効回数６３の対のリストである。
【００３５】
図３は、サーバ装置２のログ記憶部２１に格納されるログの蓄積データを示す。端末装置１の無効記録部１１は、ＩＣカード３から読み出したＩＤとカウント値の更新値（ＩＣカード３に書き込んだ値）を含むログをサーバ装置２に送信する。ログ収集部２６は、受信したログのＩＤをログ記憶部２１のログＩＤ５１に、カウント値の更新値をログカウント値５２に格納する。
【００３６】
図４は、端末装置１の無効記録部１１の動作フローチャートである。無効記録部１１は、例えば、リーダ／ライタ１５にＩＣカード３がかざされると起動される。
【００３７】
無効記録部１１は、ＩＣカード３からＩＤおよびカウント値を読み出す（Ｓ１１）。ＩＤはＩＤ記憶部３１から、カウント値はカウンタ３３から読み出される。
【００３８】
次に、無効記録部１１は、読み出されたＩＤがリスト記憶部１２に格納されているブラックリスト６１に登録されているかをチェックする（Ｓ１２）。このとき、無効記録部１１は、読み出されたＩＤと一致する無効ＩＤ６２が、ブラックリスト６１に登録されているか否かをチェックする。登録されている場合（Ｓ１２でＹ）、無効記録部１１は、読み出されたＩＤと一致する無効ＩＤ６２に対応する無効回数６３をブラックリスト６１から読み出す（Ｓ１３）。
【００３９】
ＩＣカード３から読み出したカウント値が無効回数６３の値より小さな場合（Ｓ１４でＹ）、無効記録部１１は（カウント値＋１）を算出、即ちカウントアップして、その算出値ＡをＩＣカード３のカウンタ３３に格納する（Ｓ１５）。即ち、無効記録部１１はＩＣカード３のカウント値を算出値Ａで更新する。なお、無効記録部１１は、カウントアップの代わりに、ＩＣカード３のカウント値を無効回数６３で更新しても良い。更に、無効記録部１１は、“無効”の有効性情報を、有効性情報記憶部３２に格納する（Ｓ１５）。
【００４０】
最後に、無効記録部１１は、ＩＣカード３から読み出されたＩＤと算出値Ａを含むログを作成して、サーバ装置２に送信する（Ｓ１６）。
【００４１】
読み出されたＩＤがリスト記憶部１２に格納されているブラックリスト６１に登録されていない場合（Ｓ１２でＮ）またはＩＣカード３から読み出したカウント値が無効回数６３の値より小さくない場合（Ｓ１４でＮ）、無効記録部１１は、何もしない。
【００４２】
図５は、処理部１３の動作フローチャートである。処理部１３は、例えば、無効記録部１１の動作が終了すると起動される。処理部１３は、ＩＣカード３を使用する本来の目的を果たす処理、例えば、ＩＣカード３の電子マネーを用いた支払い処理を行う。
【００４３】
処理部１３は、まず、図示されないキーボードから入力された支払金額を得た後（Ｓ２１）、ＩＣカード３から有効または無効の有効性情報を読み出す（Ｓ２２）。当該有効性情報は、有効性情報記憶部３２から読み出される。
【００４４】
当該有効性情報が“有効”を示せば（Ｓ２３で有効）、処理部１３はＩＣカード３の残高記憶部３４に記録されている電子マネーの残高から支払額を差し引く（Ｓ２４）。当該有効性情報が“無効”を示せば（Ｓ２３で無効）、処理部１３はエラー処理を行う（Ｓ２５）。処理部１３は、例えば、端末装置１の図示されない表示装置に警告メッセージを出力する。
【００４５】
図６は、サーバ装置２の追加部２３の動作フローチャートである。追加部２３は、キーボード２７等から、ＩＣカード３の無効化指示が入力されると起動される。
【００４６】
先ず、追加部２３は、無効にされたＩＣカード３のＩＤを、キーボード２７から得る（Ｓ３１）。次に、追加部２３は、当該ＩＤと一致するログＩＤ５１のログがログ記憶部２１に格納されているかをチェックする（Ｓ３２）。あるＩＣカード３が、無効、有効の変化を複数回繰り返した場合、そのようなログが複数個存在する。格納されている場合（Ｓ３２で“ある”）、追加部２３は、そのような１個以上のログの中から、最大のログカウント値５２をログ記憶部２１から読み出し、１を加算して値αを求める（Ｓ３３）。この最大のログカウント値５２は、入力されたＩＤと一致するログＩＤ５１のログのうち最新のログから得られる。
【００４７】
格納されていない場合（Ｓ３２で“ない”）、追加部２３は、値αを１とする（Ｓ３５）。
【００４８】
最後に、追加部２３は、入力されたＩＤと値αを対応付けて、リストマスタ記憶部２２内のブラックリスト６１に追加する（Ｓ３４）。具体的に、追加部２３は、入力されたＩＤを無効ＩＤ６２として、値αを無効回数６３としてブラックリスト６１に登録する。
【００４９】
図７は、削除部２４の動作フローチャートである。削除部２４は、キーボード２７等から、ＩＣカード３の有効化指示が入力されると起動される。
【００５０】
先ず、削除部２４は、有効にされたＩＣカード３のＩＤを、キーボード２７から得る（Ｓ４１）。次に、削除部２４は、当該ＩＤと一致する無効ＩＤ６２、および、対応する無効回数６３をリストマスタ記憶部２２内のブラックリスト６１から削除する（Ｓ４２）。
【００５１】
配信部２５は、このように、追加部２３および削除部２４が維持管理しているリストマスタ記憶部２２内のブラックリスト６１を、端末装置１に配信する。配信は、定期的に行われても良いし、追加または削除が一定回数実施されたときに行われても良い。
【００５２】
本実施の形態にかかる有効性制御システム４は、ブラックリスト６１に基づいて、クレジットカードや電子マネーを格納したＩＣカード３等の有効／無効を適切に判断できる。このシステムは、一旦無効にして、再度有効にしたＩＣカード３等に対しても有効／無効を適切に判断できる。その理由は、無効回数をＩＣカード３および端末装置１が記憶するブラックリスト６１の両者に記憶しているからである。
【００５３】
例えば、あるＩＣカード３が初めて無効にされたとき、カウンタ３３のカウント値は０である。最初のブラックリスト６１の無効回数６３は１である。従って、このＩＣカード３が、最初のブラックリスト６１を記憶する端末装置１に入力されると、端末装置１はこのカードに無効の有効性情報を記録して、カウンタ３３のカウント値を１にする。従って、このＩＣカード３が、この後、最初のブラックリスト６１を記憶する端末装置１により、当該ブラックリスト６１に基づいて、無効が判断されることはない。即ち、このＩＣカード３が無効にされ、その後有効に戻った場合、古いブラックリスト６１に基づいて、誤って無効の判断がなされることはない。従って、ユーザは、当該ＩＣカード３を端末装置１のリーダ／ライタ１５にかざして、有効を示す有効性情報に基づいて、処理部１３に所定処理を実行させることが出来る。ここで、所定処理は、例えば、残高記憶部３４に記憶されている電子マネー、クレジットカードの与信残高を用いた支払い処理である。
【００５４】
なお、ＩＣカード３は、他の形状のＩＣメモリに変更されても良いし、他の記録媒体、例えば、ＵＳＢ（Universal Serial Bus）メモリに変更されても良い。この場合、リーダ／ライタ１５は、ＵＳＢインターフェースに変更される。また、ＩＣカード３は、人間が携帯する物ではなく、自動車の外部や、車いすに備え付けられ、例えば、ドライブスルーの支払いに用いられる記録媒体に置き換えられても良い。
【００５５】
更に、ＩＣカード３のカウンタ３３、および、ブラックリストに包含される無効回数６３に格納される値は、必ずしも、本実施形態のように、初期値０から始まり、１ずつカウントアップされる“回数”そのものの値である必要はない。例えば、有効性制御システム４内の規約または変換テーブルにより、無効の回数が特定できる情報、即ち、無効回数特定値であればよい。例えば、初期値が５であり、無効にされた回数の増加に伴い２ずつカウントアップされる数値であっても良い。
【００５６】
更に、無効回数特定値は、初期値がある程度大きな数、例えば１０００であり、回数の増加に伴い１ずつカウントダウンされる値でも良い。順序が特定できるならば、無効回数特定値は、非数値情報、例えば、アルファベット、仮名文字であっても良い。
【００５７】
このような場合、無効記録部１１が行う図４のＳ１４の比較やＳ１５のカウントアップの記載は、無効回数特定値を回数にマッピングした場合の処理を記載していることになる。実際に無効回数特定値に対して施される演算は無効回数特定値に応じて若干の変更がなされる。例えば、無効回数特定値が、回数の増加に伴い２ずつカウントダウンされる数値の場合、Ｓ１４の判定の大小関係は逆になる。また、Ｓ１５の無効の回数を１増加させる処理は、無効回数特定値を２つカウントダウンさせる処理となる。今後、回数を１増加させる処理に相当する無効回数特定値に対する演算（上記例では２つカウントダウンすること）を、“無効回数特定値を進める”と表現することがある。
【００５８】
なお、端末装置１は処理部１３を備えず、別の装置が処理部１３を備えていても良い。無効記録部１１と処理部１３は、一体に実装しても良く、例えば、無効記録部１１が処理部１３の機能を備えていても良い。
【００５９】
また、ログ記憶部２１は、無効回数記憶部２Ａとも呼ばれ、カウンタ３３は、設定値記憶部３５とも呼ばれる。
【００６０】
本実施形態について示した、バリエーションは、以降の実施も形態についても適用される。
【００６１】
＜第２の実施の形態＞
図８は、第２の実施の形態にかかる有効性制御システム４の構成図である。本実施の形態にかかる有効性制御システム４は、第１の実施の形態にかかる有効性制御システム４が備えていたログ収集部２６とログ記憶部２１を備えず、代わりに、カードマスタ記憶部２８を備える。
【００６２】
ここで、カードマスタ記憶部２８は、ＩＣメモリ、ディスク装置等の記憶装置である。
【００６３】
図９は、サーバ装置２のカードマスタ記憶部２８に格納されるデータの構成を示す。カードマスタ記憶部２８は、無効にされ得る、例えば、発行されている全てのＩＣカード３のＩＤである登録ＩＤ５５と、そのＩＣカード３が無効にされた回数である無効回数５６を格納している。例えば、銀行またはクレジットカード会社が、ユーザにＩＣカード３を発行するごとに、登録ＩＤ５５と無効回数５６の初期値０をカードマスタ記憶部２８に登録する。
【００６４】
図１０は、本実施の形態にかかる追加部２３の動作フローチャートである。追加部２３は、キーボード２７等から、ＩＣカード３の無効化指示が入力されると起動される。
【００６５】
先ず、追加部２３は、無効にされたＩＣカード３のＩＤを、キーボード２７から得る（Ｓ５１）。次に、追加部２３は、当該ＩＤと一致する登録ＩＤ５５に対応する無効回数５６をカードマスタ記憶部２８から読み出し、１を加算して値βを求める（Ｓ５２）。
【００６６】
追加部２３は、値βを、キーボード２７から得たＩＤと一致する登録ＩＤ５５に対応する無効回数５６としてカードマスタ記憶部２８に格納する（Ｓ５３）。
【００６７】
最後に、追加部２３は、キーボード２７から得たＩＤと値βを対応付けて、リストマスタ記憶部２２内のブラックリスト６１に追加する（Ｓ５４）。具体的に、追加部２３は、キーボード２７から得たＩＤを無効ＩＤ６２として、値βを無効回数６３としてブラックリスト６１に登録する。
【００６８】
なお、本実施の形態にかかる無効記録部１１は、ログの送信（図４のＳ１６）は行わない。また、以上説明したこと以外、本実施の形態にかかる有効性制御システム４は、第１の実施の形態にかかる有効性制御システム４と同じである。
【００６９】
本実施の形態にかかる有効性制御システム４は、ネットワーク４１の負荷を抑えつつ、第１の実施の形態にかかる有効性制御システム４と同じ効果を奏する。その理由は、端末装置１がサーバ装置２に、ログを送信しないからである。
【００７０】
なお、カードマスタ記憶部２８は、無効回数記憶部２Ａとも呼ばれる。
【００７１】
＜第３の実施の形態＞
図１１は、第３の実施形態にかかる端末装置１の構成図である。端末装置１は、無効記録部１１とリスト記憶部１２を備える。
【００７２】
リスト記憶部１２は、ＩＤ、有効または無効を示す有効性情報、および、カウント値を格納するＩＣカード３の無効回数６３と、無効となったＩＤである無効ＩＤ６２とを対応付けたブラックリスト６１を格納する。
【００７３】
無効記録部１１は、ＩＣカード３から読み出されたＩＤに対応する無効回数６３をブラックリスト６１から読み出し、ＩＣカード３から読み出されたカウント値と比較し、カウント値と無効回数が等しい場合には、ＩＣカード３の有効性情報に基づき所定処理を実行する。所定処理は、例えば、支払い処理である。
【００７４】
本実施の形態にかかる端末装置１は、ブラックリスト６１に基づいて、クレジットカードや電子マネーを格納したＩＣカード３等の有効／無効を適切に判断できる。この装置は、一旦無効にして、再度有効にしたＩＣカード３等に対しても有効/無効を適切に判断できる。その理由は、第１の実施形態で述べたとおりである。
【００７５】
＜第４の実施の形態＞
図１２は、第４の実施形態にかかるサーバ装置２の構成図である。
【００７６】
サーバ装置２は端末装置に接続される。当該端末装置は、ＩＣカードから読み出されたＩＤに対応する無効回数を、記憶するブラックリストから読み出し、ＩＣカードから読み出された設定値と比較する。設定値と無効回数特定値が等しい場合には、当該端末装置は、ＩＣカードの有効または無効を示す有効性情報に基づき所定処理、例えば、支払い処理を実行する。
【００７７】
また、サーバ装置２は、無効回数記憶部２Ａ、リストマスタ記憶部２２、追加部２３、削除部２４、および、配信部２５を備える。
【００７８】
無効回数記憶部２Ａは、無効にされたＩＣカード３のＩＤ対応に無効回数を格納する。リストマスタ記憶部２２は、ブラックリスト６１の原本を格納する。
【００７９】
追加部２３は、無効にされたＩＣカード３のＩＤを入力されて、入力されたＩＤ対応に無効回数記憶部２Ａに格納されている無効回数をカウントアップして、カウントアップされた値を、入力されたＩＤに対応する無効回数６３として、ブラックリスト６１の原本に追加する。
【００８０】
削除部２４は、有効に戻されたＩＣカード３のＩＤを入力されて、入力されたＩＤ対応の無効回数６３を、ブラックリスト６１の原本から削除する。配信部２５は、ブラックリスト６１の原本を端末装置に配信する。
【００８１】
本実施の形態にかかるサーバ装置２に接続された端末装置は、ブラックリスト６１に基づいて、クレジットカードや電子マネーを格納したＩＣカード３等の有効／無効を適切に判断できる。この端末装置は、一旦無効にして、再度有効にしたＩＣカード３等に対しても有効／無効を適切に判断できる。その理由は、第１の実施形態で述べたとおりである。
【００８２】
＜第５の実施形態＞
図１３は、第５の実施形態にかかるＩＣカード３の構成図である。
【００８３】
ＩＣカード３は、端末装置から読み出されるＩＤを格納するＩＤ記憶部３１と、有効性情報を格納する有効性情報記憶部３２と、設定値を格納する設定値記憶部３５と、を備える。
【００８４】
当該端末装置は、ＩＣカード３から読み出されたＩＤに対応する無効回数を、記憶するブラックリストから読み出し、ＩＣカード３から読み出された設定値と比較する。設定値と無効回数特定値が等しい場合には、当該端末装置は、ＩＣカード３の有効または無効を示す有効性情報に基づき所定処理、例えば、支払い処理を実行する。
【００８５】
本実施の形態にかかるＩＣカード３をアクセスした端末装置は、ブラックリストに基づいて、クレジットカードや電子マネーを格納したＩＣカード３等の有効／無効を適切に判断できる。この端末装置は、一旦無効にして、再度有効にしたＩＣカード３等に対しても有効/無効を適切に判断できる。その理由は、第１の実施形態で述べたとおりである。
【００８６】
以上、実施形態を参照して本願発明を説明したが、本願発明は上記実施形態に限定されものではない。本願発明の構成や詳細には、本願発明のスコープ内で当業者が理解し得る様々な変更をすることができる。
【００８７】
この出願は、２０１３年７月１日に出願された日本出願特願２０１３−１３８０５６を基礎とする優先権を主張し、その開示の全てをここに取り込む。
【符号の説明】
【００８８】
１    端末装置
２    サーバ装置
３    ＩＣカード
４    有効性制御システム
１１    無効記録部
１２    リスト記憶部
１３    処理部
１４    受信部
１５    リーダ／ライタ
２１    ログ記憶部
２２    リストマスタ記憶部
２３    追加部
２４    削除部
２５    配信部
２６    ログ収集部
２７    キーボード
２８    カードマスタ記憶部
２Ａ    無効回数記憶部
３１    ＩＤ記憶部
３２    有効情報記憶部
３３    カウンタ
３４    残高記憶部
３５    設定値記憶部
４１    ネットワーク
５１    ログＩＤ
５２    ログカウント値
５５    登録ＩＤ
５６、６３    無効回数
６１    ブラックリスト
６２    無効ＩＤ
【図１】
2015001741.tif 000003
【図２】
2015001741.tif 000004
【図３】
2015001741.tif 000005
【図４】
2015001741.tif 000006
【図５】
2015001741.tif 000007
【図６】
2015001741.tif 000008
【図７】
2015001741.tif 000009
【図８】
2015001741.tif 000010
【図９】
2015001741.tif 000011
【図１０】
2015001741.tif 000012
【図１１】
2015001741.tif 000013
【図１２】
2015001741.tif 000014
【図１３】
2015001741.tif 000015
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
識別子、有効または無効を示す有効性情報、および、設定値を格納する記録媒体の無効回数特定値と前記識別子とを対応付けたブラックリストを格納するリスト記憶手段と、
前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する無効記録手段と、
を備える端末装置。
【請求項２】
前記無効記録手段は、前記設定値と前記無効回数特定値が等しくない場合には、前記記録媒体に格納された前記設定値を前記無効回数特定値で更新し、前記有効性情報を無効とする記録処理を実行する
請求項１に記載の端末装置。
【請求項３】
前記無効記録手段は、
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録処理を実行し、そうでなければ前記記録処理を実行しない、
請求項２に記載の端末装置。
【請求項４】
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と、当該識別子に対応付けられた前記無効回数特定値を前記ブラックリストの原本から削除し、前記ブラックリストの原本を配信するサーバ装置に接続され、
前記サーバ装置から配信された前記ブラックリストを受信して、前記リスト記憶手段に格納する受信手段を、更に備える、
請求項１乃至３の何れかに記載の端末装置。
【請求項５】
前記無効記録手段は、前記記録媒体から読みとられた前記有効性情報に基づき、有効であれば前記所定処理を実行し、無効であれば実行しない、
請求項１乃至４の何れかに記載の端末装置。
【請求項６】
前記サーバ装置と、請求項４または５の端末装置と、を包含する有効性制御システム。
【請求項７】
請求項１に記載の端末装置と通信可能な記録媒体であって、
前記記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する前記端末装置から読み出される前記識別子を格納するＩＤ記憶手段と、前記有効性情報を格納する有効性情報記憶手段と、前記設定値を格納する設定値記憶手段と、を備える記録媒体。
【請求項８】
記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置に接続され、
無効にされた前記記録媒体の前記識別子対応に前記無効回数特定値を格納する無効回数記憶手段と、
前記ブラックリストの原本を格納するリストマスタ記憶手段と、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する追加手段と、
有効に戻された前記記録媒体の前記識別子を入力されて、入力された前記識別子対応の前記無効回数特定値を、前記ブラックリストの原本から削除する削除手段と、
前記ブラックリストの原本を前記端末装置に配信するリスト配信手段と、
を備えるサーバ装置。
【請求項９】
識別子、有効または無効を示す有効性情報、および、設定値を格納する記録媒体の無効回数特定値と前記識別子とを対応付けたブラックリストを記憶し、
前記記録媒体から読み出された前記識別子に対応する前記無効回数特定値を前記ブラックリストから読み出し、前記記録媒体から読み出された前記設定値と比較し、前記設定値と前記無効回数特定値が等しい場合には、前記記録媒体の有効性情報に基づき所定処理を実行する、
方法。
【請求項１０】
前記設定値と前記無効回数特定値が等しくない場合には、前記記録媒体に格納された前記設定値を前記無効回数特定値で更新し、前記有効性情報を無効とする記録処理を実行する
請求項１１に記載の方法。
【請求項１１】
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録処理を実行し、そうでなければ前記記録処理を実行しない、
請求項１２に記載の方法。
【請求項１２】
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と、当該識別子に対応付けられた前記無効回数特定値を前記ブラックリストの原本から削除し、前記ブラックリストの原本を配信するサーバ装置から配信された前記ブラックリストを受信して、前記リスト記憶手段に記憶する、
請求項１１乃至１３の何れかに記載の方法。
【請求項１３】
前記記録媒体から読みとられた前記有効性情報に基づき、有効であれば前記所定処理を実行し、無効であれば実行しない、
請求項１１乃至１４の何れかに記載の方法。
【請求項１４】
記録媒体から読み出された識別子に対応する無効回数特定値を、記憶するブラックリストから読み出し、前記記録媒体から読み出された設定値と比較し、前記設定値と前記無効回数特定値が等しい場合には、前記記録媒体の有効または無効を示す有効性情報に基づき所定処理を実行する端末装置と接続し、
無効にされた前記記録媒体の前記識別子対応に前記無効回数特定値を無効回数記憶手段に記憶し、
前記ブラックリストの原本を記憶し、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加し、
有効に戻された前記記録媒体の前記識別子を入力されて、入力された前記識別子対応の前記無効回数特定値を、前記ブラックリストの原本から削除し、
前記ブラックリストの原本を前記端末装置に配信する、
方法。
【請求項１５】
前記設定値と前記無効回数特定値が等しくない場合には、前記記録媒体に格納された前記設定値を前記無効回数特定値で更新し、前記有効性情報を無効とする記録処理を実行し、前記記録処理における前記識別子と更新された前記設定値を包含するログを送信する前記端末装置に接続し、
前記ログを受信して前記無効回数記憶手段に蓄積し、
無効にされた前記記録媒体の前記識別子を入力されて、入力された前記識別子対応に前記無効回数記憶手段に格納されている前記設定値のうち最大のものを進めて、進められた値を、入力された前記識別子に対応する前記無効回数特定値として、前記ブラックリストの原本に追加する、
請求項１６に記載の方法。
【請求項１６】
無効の対象となり得る前記記録媒体の前記識別子と前記無効回数特定値を対応付けて前記無効回数記憶手段に記憶し、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する、
請求項１６に記載の方法。
【請求項１７】
請求項９乃至１６のいずれかに記載の方法を、コンピュータに実行させるプログラム。
【国際調査報告】
2015001741.tif 000016
2015001741.tif 000017
2015001741.tif 000018
2015001741.tif 000019